【手続補正書】
【提出日】平成18年4月11日(2006.4.11)
【手続補正１】
【補正対象書類名】明細書
【補正対象項目名】特許請求の範囲
【補正方法】変更
【補正の内容】
【特許請求の範囲】
【請求項１】  哺乳動物においてニューロン細胞の分化を誘導するための組成物であって、
(i)    配列番号：１０のヌクレオチド７６０から１０８６まで；
(ii)   配列番号：１０のヌクレオチド７７５から１０８６まで；
(iii)  配列番号：１０のヌクレオチド１から７５９まで；
(iv)   (i)、(ii)または(iii)のヌクレオチド配列がコードするのと同じアミノ酸配列をコードしているヌクレオチド配列；および
(v)    ストリンジェントな条件下で(i)、(ii)、(iii)または(iv)のヌクレオチド配列とハイブリダイズし、かつＢＭＰ−１１活性を有する蛋白をコードしているヌクレオチド：
から選択されるヌクレオチド配列によりコードされているアミノ酸配列を含む、治療上有効量のＢＭＰ−１１ポリペプチドを含有する組成物。
【請求項２】  哺乳動物において前駆細胞からのニューロン細胞の形成を誘導するための組成物であって、
(i)    配列番号：１０のヌクレオチド７６０から１０８６まで；
(ii)   配列番号：１０のヌクレオチド７７５から１０８６まで；
(iii)  配列番号：１０のヌクレオチド１から７５９まで；
(iv)   (i)、(ii)または(iii)のヌクレオチド配列がコードするのと同じアミノ酸配列をコードしているヌクレオチド配列；および
(v)    ストリンジェントな条件下で(i)、(ii)、(iii)または(iv)のヌクレオチド配列とハイブリダイズし、かつＢＭＰ−１１活性を有する蛋白をコードしているヌクレオチド：
から選択されるヌクレオチド配列によりコードされているアミノ酸配列を含む、治療上有効量のＢＭＰ−１１ポリペプチドを含有する組成物。
【請求項３】  哺乳動物においてニューロン細胞の成長を誘導するための組成物であって、
(i)    配列番号：１０のヌクレオチド７６０から１０８６まで；
(ii)   配列番号：１０のヌクレオチド７７５から１０８６まで；
(iii)  配列番号：１０のヌクレオチド１から７５９まで；
(iv)   (i)、(ii)または(iii)のヌクレオチド配列がコードするのと同じアミノ酸配列をコードしているヌクレオチド配列；および
(v)    ストリンジェントな条件下で(i)、(ii)、(iii)または(iv)のヌクレオチド配列とハイブリダイズし、かつＢＭＰ−１１活性を有する蛋白をコードしているヌクレオチド：
から選択されるヌクレオチド配列によりコードされているアミノ酸配列を含む、治療上有効量のＢＭＰ−１１ポリペプチドを含有する組成物。
【請求項４】  哺乳動物においてニューロン細胞の増殖を誘導するための組成物であって、
(i)    配列番号：１０のヌクレオチド７６０から１０８６まで；
(ii)   配列番号：１０のヌクレオチド７７５から１０８６まで；
(iii)  配列番号：１０のヌクレオチド１から７５９まで；
(iv)   (i)、(ii)または(iii)のヌクレオチド配列がコードするのと同じアミノ酸配列をコードしているヌクレオチド配列；および
(v)    ストリンジェントな条件下で(i)、(ii)、(iii)または(iv)のヌクレオチド配列とハイブリダイズし、かつＢＭＰ−１１活性を有する蛋白をコードしているヌクレオチド：
から選択されるヌクレオチド配列によりコードされているアミノ酸配列を含む、治療上有効量のＢＭＰ−１１ポリペプチドを含有する組成物。
【請求項５】  哺乳動物においてニューロン組織の形成を誘導するための組成物であって、
(i)    配列番号：１０のヌクレオチド７６０から１０８６まで；
(ii)   配列番号：１０のヌクレオチド７７５から１０８６まで；
(iii)  配列番号：１０のヌクレオチド１から７５９まで；
(iv)   (i)、(ii)または(iii)のヌクレオチド配列がコードするのと同じアミノ酸配列をコードしているヌクレオチド配列；および
(v)    ストリンジェントな条件下で(i)、(ii)、(iii)または(iv)のヌクレオチド配列とハイブリダイズし、かつＢＭＰ−１１活性を有する蛋白をコードしているヌクレオチド：
から選択されるヌクレオチド配列によりコードされているアミノ酸配列を含む、治療上有効量のＢＭＰ−１１ポリペプチドを含有する組成物。
【請求項６】  哺乳動物において神経細胞から神経突起の形成を誘導するための組成物であって、
(i)    配列番号：１０のヌクレオチド７６０から１０８６まで；
(ii)   配列番号：１０のヌクレオチド７７５から１０８６まで；
(iii)  配列番号：１０のヌクレオチド１から７５９まで；
(iv)   (i)、(ii)または(iii)のヌクレオチド配列がコードするのと同じアミノ酸配列をコードしているヌクレオチド配列；および
(v)    ストリンジェントな条件下で(i)、(ii)、(iii)または(iv)のヌクレオチド配列とハイブリダイズし、かつＢＭＰ−１１活性を有する蛋白をコードしているヌクレオチド：
から選択されるヌクレオチド配列によりコードされているアミノ酸配列を含む、治療上有効量のＢＭＰ−１１ポリペプチドを含有する組成物。
【請求項７】  哺乳動物においてニューロン細胞の再生を誘導するための組成物であって、
(i)    配列番号：１０のヌクレオチド７６０から１０８６まで；
(ii)   配列番号：１０のヌクレオチド７７５から１０８６まで；
(iii)  配列番号：１０のヌクレオチド１から７５９まで；
(iv)   (i)、(ii)または(iii)のヌクレオチド配列がコードするのと同じアミノ酸配列をコードしているヌクレオチド配列；および
(v)    ストリンジェントな条件下で(i)、(ii)、(iii)または(iv)のヌクレオチド配列とハイブリダイズし、かつＢＭＰ−１１活性を有する蛋白をコードしているヌクレオチド：
から選択されるヌクレオチド配列によりコードされているアミノ酸配列を含む、治療上有効量のＢＭＰ−１１ポリペプチドを含有する組成物。
【請求項８】  哺乳動物においてニューロン組織を治癒するための組成物であって、
(i)    配列番号：１０のヌクレオチド７６０から１０８６まで；
(ii)   配列番号：１０のヌクレオチド７７５から１０８６まで；
(iii)  配列番号：１０のヌクレオチド１から７５９まで；
(iv)   (i)、(ii)または(iii)のヌクレオチド配列がコードするのと同じアミノ酸配列をコードしているヌクレオチド配列；および
(v)    ストリンジェントな条件下で(i)、(ii)、(iii)または(iv)のヌクレオチド配列とハイブリダイズし、かつＢＭＰ−１１活性を有する蛋白をコードしているヌクレオチド：
から選択されるヌクレオチド配列によりコードされているアミノ酸配列を含む、治療上有効量のＢＭＰ−１１ポリペプチドを含有する組成物。
【請求項９】  哺乳動物においてニューロン組織を修復するための組成物であって、
(i)    配列番号：１０のヌクレオチド７６０から１０８６まで；
(ii)   配列番号：１０のヌクレオチド７７５から１０８６まで；
(iii)  配列番号：１０のヌクレオチド１から７５９まで；
(iv)   (i)、(ii)または(iii)のヌクレオチド配列がコードするのと同じアミノ酸配列をコードしているヌクレオチド配列；および
(v)    ストリンジェントな条件下で(i)、(ii)、(iii)または(iv)のヌクレオチド配列とハイブリダイズし、かつＢＭＰ−１１活性を有する蛋白をコードしているヌクレオチド：
から選択されるヌクレオチド配列によりコードされているアミノ酸配列を含む、治療上有効量のＢＭＰ−１１ポリペプチドを含有する、哺乳動物への投与用の組成物。
【請求項１０】  哺乳動物においてニューロンの欠損を治療するための組成物であって、
(i)    配列番号：１０のヌクレオチド７６０から１０８６まで；
(ii)   配列番号：１０のヌクレオチド７７５から１０８６まで；
(iii)  配列番号：１０のヌクレオチド１から７５９まで；
(iv)   (i)、(ii)または(iii)のヌクレオチド配列がコードするのと同じアミノ酸配列をコードしているヌクレオチド配列；および
(v)    ストリンジェントな条件下で(i)、(ii)、(iii)または(iv)のヌクレオチド配列とハイブリダイズし、かつＢＭＰ−１１活性を有する蛋白をコードしているヌクレオチド：
から選択されるヌクレオチド配列によりコードされているアミノ酸配列を含む、治療上有効量のＢＭＰ−１１ポリペプチドを含有する組成物。
【請求項１１】  ニューロンの欠損がニューロパシーである、請求項１０の組成物。
【請求項１２】  ニューロパシーの原因が真性糖尿病、慢性アルコール濫用、栄養不足、慢性腎臓病、放射線療法、ＨＩＶ感染、外傷およびエントラップメントから選択される、請求項１１の組成物。
【請求項１３】  ニューロンの欠損が神経変性疾患である、請求項１０の組成物。
【請求項１４】  神経変性疾患がアルツハイマー病、ハンチントン病、パーキンソン病および筋委縮性側索硬化（ＡＬＳ）から選択される、請求項１３の組成物。
【請求項１５】  ニューロンの欠損が神経切除である、請求項１０の組成物。
【請求項１６】  神経切除の原因が傷害、外傷および外科的処置から選択される、請求項１５の組成物。
【請求項１７】  ＢＭＰ−１１ポリペプチドが配列番号：１１の１から１０９までのアミノ酸を含む、請求項１ないし１６いずれか１項の組成物。
【請求項１８】  ＢＭＰ−１１ポリペプチドが配列番号：１１の６から１０９までのアミノ酸を含む、請求項１ないし１６いずれか１項の組成物。
【請求項１９】  ＢＭＰ−１１ポリペプチドが配列番号：１１の−２５３から−１までのアミノ酸を含む、請求項１ないし１６いずれか１項の組成物。
【請求項２０】  インビトロにおいてニューロン細胞の分化を誘導するための方法であって、インビトロにおいて細胞を
(i)    配列番号：１０のヌクレオチド７６０から１０８６まで；
(ii)   配列番号：１０のヌクレオチド７７５から１０８６まで；
(iii)  配列番号：１０のヌクレオチド１から７５９まで；
(iv)   (i)、(ii)または(iii)のヌクレオチド配列がコードするのと同じアミノ酸配列をコードしているヌクレオチド配列；および
(v)    ストリンジェントな条件下で(i)、(ii)、(iii)または(iv)のヌクレオチド配列とハイブリダイズし、かつＢＭＰ−１１活性を有する蛋白をコードしているヌクレオチド：
から選択されるヌクレオチド配列によりコードされているアミノ酸配列を含む、治療上有効量のＢＭＰ−１１ポリペプチドで処理し、それにより、インビトロにおいてニューロン細胞の分化を誘導することを含んでなる方法。
【請求項２１】  インビトロにおいて前駆細胞からのニューロン細胞の形成を誘導するための方法であって、インビトロにおいて細胞を
(i)    配列番号：１０のヌクレオチド７６０から１０８６まで；
(ii)   配列番号：１０のヌクレオチド７７５から１０８６まで；
(iii)  配列番号：１０のヌクレオチド１から７５９まで；
(iv)   (i)、(ii)または(iii)のヌクレオチド配列がコードするのと同じアミノ酸配列をコードしているヌクレオチド配列；および
(v)    ストリンジェントな条件下で(i)、(ii)、(iii)または(iv)のヌクレオチド配列とハイブリダイズし、かつＢＭＰ−１１活性を有する蛋白をコードしているヌクレオチド：
から選択されるヌクレオチド配列によりコードされているアミノ酸配列を含む、治療上有効量のＢＭＰ−１１ポリペプチドで処理し、それにより、インビトロにおいてニューロン細胞の形成を誘導することを含んでなる方法。
【請求項２２】  インビトロにおいてニューロン細胞の成長を誘導するための方法であって、インビトロにおいて細胞を
(i)    配列番号：１０のヌクレオチド７６０から１０８６まで；
(ii)   配列番号：１０のヌクレオチド７７５から１０８６まで；
(iii)  配列番号：１０のヌクレオチド１から７５９まで；
(iv)   (i)、(ii)または(iii)のヌクレオチド配列がコードするのと同じアミノ酸配列をコードしているヌクレオチド配列；および
(v)    ストリンジェントな条件下で(i)、(ii)、(iii)または(iv)のヌクレオチド配列とハイブリダイズし、かつＢＭＰ−１１活性を有する蛋白をコードしているヌクレオチド：
から選択されるヌクレオチド配列によりコードされているアミノ酸配列を含む、治療上有効量のＢＭＰ−１１ポリペプチドで処理し、それにより、インビトロにおいてニューロン細胞の成長を誘導することを含んでなる方法。
【請求項２３】  インビトロにおいてニューロン細胞の増殖を誘導するための方法であって、インビトロにおいて細胞を
(i)    配列番号：１０のヌクレオチド７６０から１０８６まで；
(ii)   配列番号：１０のヌクレオチド７７５から１０８６まで；
(iii)  配列番号：１０のヌクレオチド１から７５９まで；
(iv)   (i)、(ii)または(iii)のヌクレオチド配列がコードするのと同じアミノ酸配列をコードしているヌクレオチド配列；および
(v)    ストリンジェントな条件下で(i)、(ii)、(iii)または(iv)のヌクレオチド配列とハイブリダイズし、かつＢＭＰ−１１活性を有する蛋白をコードしているヌクレオチド：
から選択されるヌクレオチド配列によりコードされているアミノ酸配列を含む、治療上有効量のＢＭＰ−１１ポリペプチドで処理し、それにより、インビトロにおいてニューロン細胞の増殖を誘導することを含んでなる方法。
【請求項２４】  インビトロにおいてニューロン組織の形成を誘導するための方法であって、インビトロにおいて細胞を
(i)    配列番号：１０のヌクレオチド７６０から１０８６まで；
(ii)   配列番号：１０のヌクレオチド７７５から１０８６まで；
(iii)  配列番号：１０のヌクレオチド１から７５９まで；
(iv)   (i)、(ii)または(iii)のヌクレオチド配列がコードするのと同じアミノ酸配列をコードしているヌクレオチド配列；および
(v)    ストリンジェントな条件下で(i)、(ii)、(iii)または(iv)のヌクレオチド配列とハイブリダイズし、かつＢＭＰ−１１活性を有する蛋白をコードしているヌクレオチド：
から選択されるヌクレオチド配列によりコードされているアミノ酸配列を含む、治療上有効量のＢＭＰ−１１ポリペプチドで処理し、それにより、インビトロにおいてニューロン組織の形成を誘導することを含んでなる方法。
【請求項２５】  インビトロにおいて神経細胞からの神経突起の形成を誘導するための方法であって、インビトロにおいて前駆細胞を
(i)    配列番号：１０のヌクレオチド７６０から１０８６まで；
(ii)   配列番号：１０のヌクレオチド７７５から１０８６まで；
(iii)  配列番号：１０のヌクレオチド１から７５９まで；
(iv)   (i)、(ii)または(iii)のヌクレオチド配列がコードするのと同じアミノ酸配列をコードしているヌクレオチド配列；および
(v)    ストリンジェントな条件下で(i)、(ii)、(iii)または(iv)のヌクレオチド配列とハイブリダイズし、かつＢＭＰ−１１活性を有する蛋白をコードしているヌクレオチド：
から選択されるヌクレオチド配列によりコードされているアミノ酸配列を含む、治療上有効量のＢＭＰ−１１ポリペプチドで処理し、それにより、インビトロにおいて神経突起の形成を誘導することを含んでなる方法。
【請求項２６】  インビトロにおいてニューロン細胞の再生を誘導するための方法であって、インビトロにおいて細胞を
(i)    配列番号：１０のヌクレオチド７６０から１０８６まで；
(ii)   配列番号：１０のヌクレオチド７７５から１０８６まで；
(iii)  配列番号：１０のヌクレオチド１から７５９まで；
(iv)   (i)、(ii)または(iii)のヌクレオチド配列がコードするのと同じアミノ酸配列をコードしているヌクレオチド配列；および
(v)    ストリンジェントな条件下で(i)、(ii)、(iii)または(iv)のヌクレオチド配列とハイブリダイズし、かつＢＭＰ−１１活性を有する蛋白をコードしているヌクレオチド：
から選択されるヌクレオチド配列によりコードされているアミノ酸配列を含む、治療上有効量のＢＭＰ−１１ポリペプチドで処理し、それにより、インビトロにおいてニューロン細胞の再生を誘導することを含んでなる方法。
【請求項２７】  ＢＭＰ−１１ポリペプチドが配列番号：１１の１から１０９までのアミノ酸を含む、請求項２０ないし２６いずれか１項の方法。
【請求項２８】  ＢＭＰ−１１ポリペプチドが配列番号：１１の６から１０９までのアミノ酸を含む、請求項２０ないし２６いずれか１項の方法。
【請求項２９】  ＢＭＰ−１１ポリペプチドが配列番号：１１の−２５３から−１までのアミノ酸を含む、請求項２０ないし２６いずれか１項の方法。